(57)【要約】【課題】  本体筺体の背面に積層されるオプション筺体の選択や増設が行える携帯端末を提供する。【解決手段】  電話としての機能を有する本体筺体１１と、本体筺体１１の背面に積層されることにより機能部が隠蔽されるオプション筺体１５と、本体筺体１１およびオプション筺体１５の積層方向に沿う軸とを備え、この軸を中心として本体筺体１１およびオプション筺体１５が相対的に回動することによりオプション筺体１５の機能部が露呈可能な携帯端末１００において、異なる複数種類のオプション筺体１５を、本体筺体１１の背面に選択的に任意段数で積層可能に構成した。【選択図】図１
2006115277.tif 000002
【特許請求の範囲】
【請求項１】
電話としての機能を有する本体筺体と、該本体筺体の背面に積層されることにより機能部が隠蔽されるオプション筺体と、前記本体筺体および該オプション筺体の積層方向に沿う軸とを備え、該軸を中心として前記本体筺体および前記オプション筺体が相対的に回動することにより前記オプション筺体の機能部が露呈可能な携帯端末において、
異なる複数種類の前記オプション筺体が前記本体筺体の背面に選択的に任意段数積層可能であることを特徴とする携帯端末。
【請求項２】
前記本体筺体および各オプション筺体が略帯状に形成され、前記軸を中心として前記本体筺体および前記オプション筺体が相対的に回動した際に前記各オプション筺体の長手方向両端部が前記本体筺体の両長辺から対称に露呈されることを特徴とする請求項１記載の携帯端末。
【請求項３】
少なくとも前記本体筺体の両長辺に凹部が設けられていることを特徴とする請求項２記載の携帯端末。
【発明の詳細な説明】
【技術分野】
【０００１】
本発明は、積層された複数の筺体が、積層方向に沿う軸を介して回動自在となった携帯端末に関する。
【背景技術】
【０００２】
近年、電話としての機能を有する本体筺体と、この本体筺体の背面に積層されることにより機能部が隠蔽されるオプション筺体と、本体筺体およびオプション筺体の積層方向に沿う軸とを備え、この軸を中心として本体筺体およびオプション筺体が相対的に回動することにより、オプション筺体の機能部が露呈可能となったリボルバータイプの携帯端末が提案されている。
【０００３】
この種の携帯端末では、オプション筺体が回動されることで、機能部が露呈されるので、機能部増設用の新たな面積を確保することができる。これにより、例えばフルキーボードなどの搭載も可能となり、携帯端末の一層の多機能化や利便性の向上が図られている。
【０００４】
【非特許文献１】通信技術（２００４年９月号  中国）、９ページＳＥＩＭＥＮＳ社製“ＳＫ６５”（２００４年１１月発売予定）
【非特許文献２】au design project、“コンセプトモデル一覧”、“Apollo(2002) ”、［online］、ＫＤＤＩ、［平成１６年８月１７日検索］、インターネット<URL:http://www.au.kddi.com/au_design_project/models/>
【発明の開示】
【発明が解決しようとする課題】
【０００５】
上記のように従来の携帯端末では、リボルバータイプのように多機能化や利便性の向上を図る目的で、本体筺体の背面に、露呈可能な単一のオプション筺体を回動自在に固定している。そして、さらに近年では、使用者のニーズが多様化、高度化、並列化しつつあり、オプション筺体の選択や増設が行える携帯端末が求められている。
本発明は上記状況に鑑みてなされたもので、本体筺体の背面に積層されるオプション筺体の選択や増設が行える携帯端末を提供することを目的とする。
【課題を解決するための手段】
【０００６】
上記目的を達成するための本発明に係る請求項１記載の携帯端末は、電話としての機能を有する本体筺体と、該本体筺体の背面に積層されることにより機能部が隠蔽されるオプション筺体と、前記本体筺体および該オプション筺体の積層方向に沿う軸とを備え、該軸を中心として前記本体筺体および前記オプション筺体が相対的に回動することにより前記オプション筺体の機能部が露呈可能な携帯端末において、異なる複数種類の前記オプション筺体が前記本体筺体の背面に選択的に任意段数積層可能であることを特徴とする。
【０００７】
この携帯端末では、異なる複数種類のオプション筺体の中から、必要なもののみが、必要な数だけ本体筺体の背面に積層可能となり、使用者のニーズに合わせて所望のオプション筺体が選択可能、および増設可能となる。
【０００８】
請求項２記載の携帯端末は、前記本体筺体および各オプション筺体が略帯状に形成され、前記軸を中心として前記本体筺体および前記オプション筺体が相対的に回動した際に前記各オプション筺体の長手方向両端部が前記本体筺体の両長辺から対称に露呈されることを特徴とする。
【０００９】
この携帯端末では、本体筺体を挟んで左右に等しい面積の機能部が配置され、本体筺体からの距離が短く、かつ左右均等に設定可能となり、左右分割配置が好ましい機能部（ゲーム用キー、スピーカシステム等）の配設が実現可能となる。これにより、例えば機能部がスピーカシステムであれば、良好な立体音響効果が得られ、ゲーム用キーであればそれぞれの手に対応させたバランスのよい入力操作が可能となる。
【００１０】
請求項３記載の携帯端末は、少なくとも前記本体筺体の両長辺に凹部が設けられていることを特徴とする。
【００１１】
この携帯端末では、本体筺体の両長辺に凹部が設けられることで、本体筺体の両側部位が内側に湾曲形成され、本体筺体の重なりによって隠れる部分が少なくなり、その分オプション筺体の機能部が大面積で表出可能となる。また、本体筺体およびオプション筺体に凹部が形成されれば、双方の筺体が重ねられたときには、携帯端末の両長辺が内側に湾曲し、手指をひっかかり易くして良好な保持性が得られる。
【発明の効果】
【００１２】
本発明に係る携帯端末によれば、積層方向に沿う軸を中心として、積層された本体筺体およびオプション筺体が相対回動自在となった携帯端末において、異なる複数種類のオプション筺体を、本体筺体の背面に、選択的に任意段数積層可能としたので、使用者のニーズに合わせて所望のオプション筺体を選択したり、増設することができる。この結果、ニーズの多様化、高度化、並列化に柔軟に対応することができるようになる。
【発明を実施するための最良の形態】
【００１３】
以下、本発明に係る携帯端末の好適な実施形態を図面を参照して説明する。
（第１実施形態）
図１は本発明に係る携帯端末の第１実施形態を表す平面図、図２は図１の側面図、図３は図１に示した携帯端末の分解斜視図、図４は他のオプション筺体例を表す斜視図である。
本実施形態に係る携帯端末１００は、電話としての機能を有する本体筺体１１と、この本体筺体１１の背面１１ａ（図２参照）に積層されることにより機能部１３（図３参照）が隠蔽される複数のオプション筺体１５とを有する。本体筺体１１の表面には少なくとも通常の通話操作に使用される表示部１７、操作部１９が設けられる。この他、本体筺体１１には、図示しない受話部、送話部、着信スピーカ、送受信部、データ変換部、音声処理部、画像処理部、情報記録部および制御部等を備える。
【００１４】
本体筺体１１およびオプション筺体１５は、積層方向に沿う軸（結合軸２１）によって、それぞれの筺体中央部同士が連結され、この結合軸２１を中心として相対的に回動自在となっている。結合軸２１は、本体筺体１１とオプション筺体１５、或いはオプション筺体１５同士を取外し可能に結合する。オプション筺体１５の交換組立ては、製品組立て工程にて行われるものであってもよく、或いはエンド・ユーザー自身が交換するものとしてもよい。
【００１５】
この場合、容易な交換性を実現させるために、結合軸２１としては、スパイラル状のフレキシブル配線を収容した中空軸、ロータリージョイント等を用いることができる。これにより、ユーザーレベルでの容易な交換性を可能とすることができる。なお、結合軸２１の内部に電気配線を挿通する場合には、筺体同士の間に、一定の回転角度で回転を規制する回転規制ストッパを設け、電気配線の過剰な捩れを防止するようにしてもよい。
【００１６】
オプション筺体１５としては、例えば図３に示すように、十字キー２３や入力キー２５を備えたゲーム用筺体１５Ａ、スピーカ２７、スピーカ２７を備えたスピーカ用筺体１５Ｂ、フルキーボード２９、フルキーボード２９を備えたフルキーボード用筺体１５Ｃ等を挙げることができる。この他、オプション筺体１５としては、図４（ａ）に示す液晶表示部３１やカメラレンズ３３を備えたカメラ筺体１５Ｄ、図４（ｂ）に示すスライドパット３５を備えた補助入力用筺体１５Ｅ等を挙げることができる。
【００１７】
本実施形態による携帯端末１００は、このように異なる複数種類のオプション筺体１５が、本体筺体１１の背面１１ａに選択的に任意段数積層可能となっている。
【００１８】
本体筺体１１とオプション筺体１５とは、後述の凹部を除いては略同形同大で形成されている。本実施形態において、本体筺体１１および各オプション筺体１５は、略帯状に形成され、結合軸２１を中心として本体筺体１１およびオプション筺体１５が相対的に回動した際に、各オプション筺体１５の長手方向両端部３７、長手方向両端部３７（図３参照）が本体筺体１１の両長辺３９、両長辺３９から対称に露呈されるようになっている。
【００１９】
すなわち、本体筺体１１に対してオプション筺体１５が略９０°の角度で回動されれば、本体筺体１１を挟んで左右に等面積の機能部１３が配置され、本体筺体１１からの距離が短く、左右均等に設定可能となり、左右分割配置が好ましい機能部（例えばゲーム用キー、スピーカシステムなど）１３の配設が実現可能となる。これにより、機能部１３が例えばスピーカシステムであれば、良好な立体音響効果が得られ、ゲーム用キーであればそれぞれの手に対応させたバランスのよい入力操作が可能となる。
【００２０】
また、少なくとも本体筺体１１の両長辺３９、両長辺３９には、凹部４１が設けられている。本体筺体１１の両長辺３９、両長辺３９に凹部４１が設けられることで、本体筺体１１の両長辺３９、両長辺３９が内側に湾曲形成され、本体筺体１５の重なりによって隠れる機能部１３が少なくなり、その分オプション筺体１５が大面積で露呈される。また、図示は省略するが本体筺体１１およびオプション筺体１５の双方に凹部４１が形成されれば、双方の筺体が重ねられたときには、本体筺体１１、オプション筺体１５の両長辺が内側に湾曲し、手指をひっかかり易くして良好な保持性が得られる。
【００２１】
次に、上記のように構成された携帯端末の作用を説明する。
図５は一段目、二段目、三段目の各オプション筺体回動時を（ａ）（ｂ）（ｃ）、一段目〜三段目のオプション筺体一体回動時を（ｄ）に表した使用バリエーションの説明図である。
上記のように構成された携帯端末１００では、図５（ａ）に示すように、一段目のオプション筺体１５が９０度回動されると、ゲーム用筺体１５Ａの十字キー２３、入力キー２５が本体筺体１１を中央に挟んで左右に配置され、一般的なゲーム用キーの基本配置が容易に実現される。
【００２２】
また、図５（ｂ）に示すように、二段目のオプション筺体１５が９０度回動されると、スピーカ用筺体１５Ｂのスピーカ２７、スピーカ２７が本体筺体１１を中央に挟んで左右に配置され、立体感、臨場感のある音響再生が可能となる。
【００２３】
さらに、図５（ｃ）に示すように、三段目のオプション筺体１５が９０度回動されると、フルキーボード用筺体１５Ｃのフルキーボード２９、フルキーボード２９が本体筺体１１を中央に挟んで左右に配置され、容易かつ迅速な入力操作が可能となる。
【００２４】
なお、任意のオプション筺体１５を回転する場合には、当該オプション筺体１５のみを回動させる他、図５（ｄ）に示すように、当該オプション筺体１５より下層の全てのオプション筺体１５Ａ、１５Ｂ、１５Ｃを同時に相対回動させてもよく、これによれば、回動操作性、保持性を良好にすることができる。
【００２５】
このように、携帯端末１００では、異なる複数種類のオプション筺体１５の中から、必要なもののみが、必要な数だけ本体筺体１１の背面１１ａに積層可能となり、使用者のニーズに合わせて所望のオプション筺体１５が選択可能、および増設可能となる。これにより、多種なオプション筺体１５を取り揃えておくことで、より広いユーザーの利用を可能にさせることができる。また、携帯端末１００を基本的に設計変更せずに、オプション筺体１５部分でユーザーニーズに対応可能となるので、開発の効率化も図られるようになる。
【００２６】
したがって、この携帯端末１００によれば、積層方向に沿う結合軸２１を中心として、本体筺体１１およびオプション筺体１５が相対回動自在となった携帯端末１００において、異なる複数種類のオプション筺体１５を、本体筺体１１の背面１１ａに、選択的に任意段数積層可能としたので、使用者のニーズに合わせて所望のオプション筺体１５を選択したり、増設することができ、ニーズの多様化、高度化、並列化に対応可能となる。
【００２７】
（第２実施形態）
次に、本発明に係る携帯端末の第２実施形態を説明する。
図６は本発明に係る携帯端末の第２実施形態を表す斜視図、図７は図６に示した携帯端末の異なる使用バリエーションの説明図である。なお、以下の各実施形態において、図１〜図５に示した部材と同一の部材には同一の符号を付し、重複する説明は省略するものとする。
本実施形態による携帯端末２００は、結合軸２１によって、本体筺体背面１１ａの下端部と、一段目のオプション筺体表面１５ａの上端部とが連結されている。また、一段目のオプション筺体１５は、背面下端部に設けられた結合軸２１によって、二段目のオプション筺体表面１５ａの上部表面に連結されている。
【００２８】
図６には例えばオプション筺体１５、１５が二段で連結される場合を例示しているが、さらに三段目、四段目を同様な連結構成によって連結することができる。
【００２９】
このような連結構造によれば、図６に示すように、複数の機能部１３、複数の機能部１３を、本体筺体１１に対し、連続的かつ一体的に露呈させることができる。また、オプション筺体１５を二段で連結した構成では、図７（ａ）に示すように、二段目のオプション筺体１５Ｄを本体筺体１１の上方へ配置させることや、図７（ｂ）に示すように、本体筺体１１の片側に配置させることが可能となる。
【００３０】
この携帯端末２００によれば、複数の機能部１３を連続させた状態で、一体配置させたり、大きな一つの機能部面積を本体筺体側部に一体配置させることができる。
【００３１】
（第３実施形態）
次に、本発明に係る携帯端末の第３実施形態を説明する。
図８は本発明に係る携帯端末の第３実施形態の斜視図、図９は図８に示した携帯端末のオプション筺体回動時の斜視図である。
本実施形態による携帯端末３００は、本体筺体１１およびオプション筺体１５が略正方形で形成される。そして、本体筺体１１とオプション筺体１５とは、その中央部に設けられた上記同様の軸（結合軸２１）によって機械的および電気的に相対回転自在に連結されている。
【００３２】
したがって、この携帯端末３００によれば、図９に示すように、本体筺体１１に対し、オプション筺体１５が略４５°で回動されると、本体筺体１１の各四辺に、オプション筺体１５の四箇所の隅部がそれぞれ突出して配置されることとなる。すなわち、４５°の僅かな回動で、同時に多数の機能部１３を露呈させることができる。この機能部１３としては、例えば左右にスピーカ２７、スピーカ２７、下部にスライドパッド３５、上部にカメラレンズ３３の各機能部を挙げることができる。
【００３３】
図１０は本発明に係る携帯端末の変形例を表す斜視図、図１１は図１０に示した変形例に係る携帯端末のオプション筺体回動時の説明図である。
なお、上記の各実施形態では、一つの軸を介し、本体筺体１１に対して一つのオプション筺体１５を相対回転自在に設けたが、本発明に係る携帯端末は、図１０に示すように、各層のオプション筺体１５を、複数（図例では２つ）に分割し、それぞれのオプション筺体１５を結合軸２１によって本体筺体１１、或いはオプション筺体１５に連結してもよい。
【００３４】
図示の例では、矩形状のオプション筺体を台形状に２分割し、本体筺体１１の対角線上の二つの隅部に、それぞれの分割オプション筺体１５を、結合軸２１によって連結している。
【００３５】
このような変形例による連結構造によれば、図１１に示すように、本体筺体１１に対して、同時に複数のオプション筺体１５を展開させることが可能となる。
【図面の簡単な説明】
【００３６】
【図１】本発明に係る携帯端末の第１実施形態を表す平面図である。
【図２】図１の側面図である。
【図３】図１に示した携帯端末の分解斜視図である。
【図４】他のオプション筺体例を表す斜視図である。
【図５】一段目、二段目、三段目の各オプション筺体回動時を（ａ）（ｂ）（ｃ）、一段目〜三段目のオプション筺体一体回動時を（ｄ）に表した使用バリエーションの説明図である。
【図６】本発明に係る携帯端末の第２実施形態を表す斜視図である。
【図７】図６に示した携帯端末の異なる使用バリエーションの説明図である。
【図８】本発明に係る携帯端末の第３実施形態の斜視図である。
【図９】図８に示した携帯端末のオプション筺体回動時の斜視図である。
【図１０】本発明に係る携帯端末の変形例を表す斜視図である。
【図１１】図１０に示した変形例に係る携帯端末のオプション筺体回動時の説明図である。
【符号の説明】
【００３７】
１１  本体筺体
１１ａ  本体筺体の背面
１３  機能部
１５  オプション筺体
２１  結合軸（軸）
３７  長手方向両端部
３９  本体筺体の両長辺
４１  凹部
１００、２００、３００  携帯端末
【図１】
2006115277.tif 000003
【図２】
2006115277.tif 000004
【図３】
2006115277.tif 000005
【図４】
2006115277.tif 000006
【図５】
2006115277.tif 000007
【図６】
2006115277.tif 000008
【図７】
2006115277.tif 000009
【図８】
2006115277.tif 000010
【図９】
2006115277.tif 000011
【図１０】
2006115277.tif 000012
【図１１】
2006115277.tif 000013